(57)【特許請求の範囲】
【請求項１】
複数の周波数ブロックの１つ以上において第２装置へ１つ以上の送信を行うように構成されると共に、前記複数の周波数ブロックの各々に対して各タイミングコマンドを受信するように構成された第１装置において、前記複数の周波数ブロックのいずれか１つに対して最も最近のタイミングコマンドを受信して以来、所定の期間が満了しないとき、複数の周波数ブロックの各々に対して最も最近受信したタイミングコマンドが全て有効であることを決定する段階を含む方法。
【請求項２】
請求項１に記載の方法を実行するように構成された装置。
【請求項３】
プロセッサと、コンピュータプログラムコードを含むメモリとを備えた装置において、前記メモリ及びコンピュータプログラムは、プロセッサと共に、装置に少なくとも請求項１又は２に記載の方法を遂行させるよう構成された、装置。
【請求項４】
コンピュータにロードされたときに請求項１乃至３のいずれかに記載の方法を遂行するようにコンピュータを制御するプログラムコード手段を備えたコンピュータプログラム。
【発明の詳細な説明】
【技術分野】
【０００１】
本発明は、通信システム内で無線送信のタイミングを制御することに係る。より詳細には、無線送信をするノードからタイミング制御データを受信し、そしてそのノードへ送信するのに必要なタイミング情報を装置が有するかどうか決定することに係る。
【背景技術】
【０００２】
通信装置とは、それを使用して他の当事者と通信することのできる適当な通信及び制御能力が設けられた装置として理解することができる。通信は、例えば、音声、電子メール（ｅ−メール）、テキストメッセージ、データ、マルチメディア、等の通信を含む。通信装置は、典型的に、装置のユーザが通信システムを経て通信を受信及び送信できるようにし、従って、種々のサービスアプリケーションへのアクセスに使用することができる。
【０００３】
通信システムとは、通信装置、ネットワークエンティティ及び他のノードのような２つ以上のエンティティ間の通信を容易にするファシリティである。通信システムは、１つ以上の相互接続ネットワークにより形成される。システムの種々のネットワークを相互接続するため１つ以上のゲートウェイノードが設けられる。例えば、ゲートウェイノードは、典型的に、アクセスネットワークと、他の通信ネットワーク、例えば、コアネットワーク及び／又はデータネットワークとの間に設けられる。
【０００４】
適当なアクセスシステムは、通信装置が、より広い通信システムにアクセスできるようにする。より広い通信システムへのアクセスは、固定ライン、又はワイヤレス通信インターフェイス、或いはそれらの組み合わせによって行われる。ワイヤレスアクセスを与える通信システムは、典型的に、そのユーザに対して少なくともある程度の移動性を可能にする。それらの例は、セルラーアクセスネットワークの構成によりアクセスが与えられるワイヤレス通信システムを含む。ワイヤレスアクセス技術の他の例は、異なるワイヤレスローカルエリアネットワーク（ＷＬＡＮ）及び衛星ベースの通信システムを含む。ワイヤレスアクセスシステムは、典型的に、システムの種々の要素は何を行うことが許されそしてそれをどのように達成すべきか規定するワイヤレス規格及び／又は１組の仕様に基づいて動作する。例えば、その規格又は仕様は、ユーザ、又はより正確にはユーザ装置に、回路交換ベアラ、又はパケット交換ベアラ、或いはその両方が設けられるかどうか規定する。接続に使用すべき通信プロトコル及び／又はパラメータも、典型的に、規定される。例えば、ユーザ装置とネットワークの要素との間で通信を実施すべき仕方、それらの機能及び役割は、典型的に、所定の通信プロトコルにより規定される。そのようなプロトコル及び／又はパラメータは、更に、通信システムの一部分により使用されるべき周波数スペクトル、使用されるべき送信電力、等を規定する。
【０００５】
セルラーシステムにおいて、ベースステーション形態のネットワークエンティティは、１つ以上のセル又はセクタにおいて移動装置と通信するためのノードをなす。あるシステムでは、ベースステーションは、「ノードＢ」と称することに注意されたい。典型的に、通信に必要とされるアクセスシステムのベースステーション装置及び他の装置の動作は、特定の制御エンティティにより制御される。制御エンティティは、典型的に、特定の通信ネットワークの他の制御エンティティと相互接続される。セルラーアクセスシステムは、例えば、ユニバーサル地上無線アクセスネットワーク（ＵＴＲＡＮ）、進化型ＵＴＲＡＮ（ＥＵＴＲＡＮ）、及びＧＳＭ（移動用グローバルシステム）ＥＤＧＥ（ＧＳＭ進化のためのエンハンストデータ）無線アクセスネットワーク（ＧＥＲＡＮ）を含む。
【０００６】
共通のベースステーション（ｅＮｏｄｅＢ）へのアップリンク送信を行う装置間の伝播遅延の変化を補償すると共に、アップリンク送信が所定時間にベースステーションに到着するように各装置がそのアップリンク送信を計時するよう保証するために、ベースステーションは、装置にタイミング進みコマンドを送信し、このコマンドは、現在のアップリンクタイミングに対して必要とされるアップリンクタイミングの変化を所定時間単位の倍数として指示する。タイミング進みコマンドは、それが受信される装置により、所定の最大期間中有効であると考えられる。装置は、タイミング進みコマンドを受信すると、それに応じてアップリンク送信タイミングを調整し、そして時間整列タイマーをスタート又は再スタートさせ、このタイマーは、それ以前に再スタートされない限り所定時間に時間切れするように構成される。時間整列タイマーが動作している限り、最も最近の（最新の、直近の）タイミング進みコマンドは、有効と考えられ、そして装置は、時間整列されたと考えられ、即ちアップリンク送信に対して有効なタイミング情報を有すると考えられる。時間整列タイマーが時間切れした場合には、装置がアップリンク送信を行う前にアップリンク同期が必要になると考えられる。通常の手順は、ランダムアクセス手順として知られているものを装置が開始して装置に必要なタイミング調整を新たに評価するようベースステーション（ｅＮＢ）に要求することである。
【０００７】
長期進化（ＬＴＥ）システム、リリース８では、装置は、単一キャリア周波数分割多重アクセス技術に基づいてアップリンク送信を行う。各アップリンク送信は、直交サブキャリアのグループを使用して行われる。サブキャリアは、リソースブロックと称される単位にグループ化され、そして装置は、キャリアと称される所定周波数ブロック内の所定最大数のリソースブロックまでの範囲のリソースブロックのグループを使用してアップリンク送信を行うことができる。アップリンク送信に利用できる帯域巾は、一般的に、複数のキャリアより成り、そして装置は、選択された１つのキャリアにおいてアップリンク送信を行う。ＬＴＥリリース８の更なる開発（この開発は、ＬＴＥ進歩型として知られている）は、キャリアの集合を与えるもので、単一キャリアによって画成されるものより広い送信帯域巾をサポートするために２つ以上のキャリアが集合される。概して言えば、ＬＴＥリリース８のもとで動作する装置は、単一のキャリアでサービスされるが、ＬＴＥ進歩型のもとで動作される装置は、複数のキャリアにおいて同時に受信又は送信することができる。ＬＴＥ進歩型では、ハイブリッド自動リピート要求（ＨＡＲＱ）手順のレイヤ２アスペクトをリリース８に準拠したままにするのが望ましいと考えられ、これは、上述した顕著な利得なしに達成される。リソースが複数のキャリアに及ぶように装置がケジュールされる場合には、スケジュールされたキャリア当たり、１つのトランスポートブロック（又は空間的マルチプレクシングも使用される場合には２つまでのトランスポートブロック）、及び１つの独立したＨＡＲＱエンティティを有することが提案される。媒体アクセスコントロールレイヤ（ＭＡＣレイヤ）は、スケジュールされたキャリアごとに各トランスポートブロックを発生し、そしてトランスポートブロックに対する考えられる全てのＨＡＲＱリピート送信は、各トランスポートブロックがマップされた同じキャリアで行われる。
【発明の概要】
【発明が解決しようとする課題】
【０００８】
本発明の１つの目的は、装置が送信を行う各周波数ブロック（例えば、上述したシステムのキャリア）に対して個別のタイミング情報の受信及び／又は維持を容易にするための技術を提供することである。
【課題を解決するための手段】
【０００９】
本発明は、複数の周波数ブロックの１つ以上において第２装置へ１つ以上の送信を行うように構成されると共に、前記複数の周波数ブロックの各々に対して各タイミングコマンドを受信するように構成された第１装置において、前記複数の周波数ブロックの１つに対して（前記複数の周波数ブロックのいずれかについて）最も最近のタイミングコマンドを受信して以来、所定の期間が満了しないとき、複数の周波数ブロックの各々に対して最も最近（直近に）受信したタイミングコマンドが全て有効であることを決定する段階を含む方法を提供する。
【００１０】
本発明は、更に、第１のグループの周波数ブロックのうちの１つ以上の周波数ブロックにおいて第２装置から１つ以上の送信を受け取ると共に、第２グループの周波数ブロックのうちの１つ以上の周波数ブロックにおいて第２装置へ１つ以上の送信を行うように構成された第１装置において、前記第１グループの周波数ブロックのうちの複数の周波数ブロックに対するタイミングコマンドを、前記第２グループの周波数ブロックのうちの１つの周波数ブロックにおいて前記第２装置へ送信する段階を含む方法を提供する。
【００１１】
本発明は、更に、第１のグループの周波数ブロックのうちの１つ以上の周波数ブロックにおいて第２装置へ１つ以上の送信を送出すると共に、第２グループの周波数ブロックのうちの１つ以上の周波数ブロックにおいて第２装置から１つ以上の送信受け取るように構成された第１装置において、前記第１グループの周波数ブロックのうちの複数の周波数ブロックに対する各タイミングコマンドを、前記第２グループの周波数ブロックのうちの１つの周波数ブロックにおいて前記第２装置から受信する段階を含む方法を提供する。
【００１２】
一実施形態において、前記方法は、更に、前記タイミングコマンドの１つ以上に基づき前記第１グループの周波数ブロックのうちの１つ以上の周波数ブロックにおいて１つ以上の送信のタイミングを制御する段階を含む。
【００１３】
一実施形態において、前記第１グループの周波数ブロックは、アップリンク周波数ブロックであり、そして前記第２グループの周波数ブロックは、ダウンリンク周波数ブロックである。
【００１４】
一実施形態において、前記第１グループの周波数ブロックのうちの複数の周波数ブロックに対するタイミングコマンドは、単一の制御データ単位に含まれる。
【００１５】
本発明は、更に、複数の周波数ブロックに対する複数のタイミングコマンドを含む制御データ単位を発生する段階を含む方法を提供する。
【００１６】
一実施形態において、前記複数のタイミングコマンドは、前記制御データ単位において所定の周波数ブロック順序で配列される。
【００１７】
一実施形態において、複数のタイミングコマンドが共通制御エレメントに含まれる。
【００１８】
一実施形態において、複数のタイミングコマンドは、各々、タイミング進み値を含む。
【００１９】
一実施形態において、前記タイミングコマンドは、各々、タイミング進み値と、そのタイミング進み値に関連した周波数ブロックの指示とを含む。
【００２０】
本発明は、更に、前記方法のいずれかを実行するように構成された装置を提供する。
【００２１】
本発明は、更に、プロセッサと、コンピュータプログラムコードを含むメモリとを備えた装置において、前記メモリ及びコンピュータプログラムは、プロセッサと共に、装置に少なくとも前記方法のいずれかを遂行させるよう構成された装置を提供する。
【００２２】
本発明は、更に、コンピュータにロードされたときに前記方法のいずれかを遂行するようにコンピュータを制御するプログラムコード手段を備えたコンピュータプログラム製品を提供する。
【００２３】
本発明は、更に、第１及び第２の装置を備え、前記第１装置は、第１グループの周波数ブロックのうちの１つ以上の周波数ブロックにおいて前記第２装置へ１つ以上の送信を送出するように構成され、そして前記第２装置は、前記第１グループの周波数ブロックのうちの複数の周波数ブロックに対するタイミングコマンドを第２グループの周波数ブロックのうちの１つの周波数ブロックにおいて前記第１装置へ送出するよう構成されたシステムを提供する。
【００２４】
本発明の実施形態は、添付図面を参照して、一例として以下に詳細に述べる。
【図面の簡単な説明】
【００２５】
【図１】本発明の実施形態が具現化される無線アクセスネットワークであって、各ベースステーション（ｅＮｏｄｅＢ）により各々サービスされる多数のセルを含むアクセスネットワークを示す。
【図２】図１に示すユーザ装置を更に詳細に示す。
【図３】図１に示す無線ネットワークのアクセスノード又はベースステーションにおいて本発明の実施形態を具現化するのに適した装置を示す。
【図４Ａ】ＭＡＣ  ＰＤＵ単位の構造を示す。
【図４Ｂ】ＭＡＣ  ＰＤＵ単位が物理的レイヤにおけるトランスポートブロックをどのように形成するか示す。
【図５】本発明の一実施形態による方法に使用するためのＭＡＣ制御エレメントの一例を示す。
【図６】本発明の一実施形態による装置の動作の一例を示す。
【発明を実施するための形態】
【００２６】
図１、２及び３は、各々、通信システム又はネットワーク、ネットワーク内で通信する装置、及び通信ネットワークのアクセスノードを示す。図１は、第１カバレージエリア１０１をもつ第１アクセスノード２と、第２カバレージエリア１０３をもつ第２アクセスノード４と、第３カバレージエリア１０５をもつ第３アクセスノード６とを備えた通信システム又はネットワークを示す。更に、図１は、アクセスノード２、４、６の少なくとも１つと通信するように構成されたユーザ装置８を示す。これらのカバレージエリアは、アクセスネットワークがセルラー通信ネットワークである場合にはセルラーカバレージエリア又はセルとしても知られている。
【００２７】
図２は、ワイヤレスインターフェイスを経てアクセスノード、従って、通信システムにアクセスするのに使用されるユーザ装置８の一例を示す部分断面概略図である。このユーザ装置（ＵＥ）８は、電話コールを発信及び受信し、データネットワークとデータをやり取りし、そして例えば、マルチメディア又は他のコンテンツを経験する、等の種々のタスクに使用される。
【００２８】
ＵＥ８は、少なくとも無線信号を送信又は受信することのできる装置である。非限定例として、移動ステーション（ＭＳ）、ワイヤレスインターフェイスカード又は他のワイヤレスインターフェイスファシリティが設けられたポータブルコンピュータ、ワイヤレス通信能力が設けられたパーソナルデータアシスタント（ＰＤＡ）、又はそれらの組み合わせが含まれる。ＵＥ８は、ＵＥ８の適当な無線インターフェイス構成体を経て通信する。インターフェイス構成体は、例えば、無線部７及びその関連アンテナ構成体によって設けられる。アンテナ構成体は、ＵＥ８の内部又は外部に配置される。
【００２９】
ＵＥ８には、それが遂行することが望まれるタスクに使用するために少なくとも１つのデータ処理エンティティ３及び少なくとも１つのメモリ又はデータ記憶エンティティ７が設けられる。データプロセッサ３及びメモリ７は、適当な回路板９及び／又はチップセットに設けられる。
【００３０】
ユーザは、キーパッド１、音声コマンド、タッチ感知スクリーン又はパッド、その組み合わせ、等の適当なユーザインターフェイスにより、ＵＥ８の動作を制御する。ディスプレイ５、スピーカ及びマイクロホンも設けられる。更に、ＵＥ８は、他の装置への適当なコネクタ（ワイヤード又はワイヤレス）であって、外部アクセサリ、例えば、ハンドフリー装置をそれに接続するコネクタも備えている。
【００３１】
図１から明らかなように、ＵＥ８は、多数のアクセスノード２、４、６の少なくとも１つと通信するように構成され、例えば、第１アクセスノード２のカバレージエリア１０１にあるときは、装置が第１アクセスノード２と通信できるように構成され、第２ノード４のカバレージエリア１０３にあるときは、装置が第２アクセスノード４と通信することができ、そして第３アクセスノード６のカバレージエリア１０５にあるときは、装置が第３アクセスノード６と通信することができる。
【００３２】
図３は、以下に述べる本発明の実施形態において、進化型ノードＢ（ｅＮＢ）２により表された第１アクセスノードの一例を示す。ｅＮＢ２は、高周波信号を受信及び送信するように構成された高周波アンテナ３０１と、アンテナ３０１によって受信及び送信される高周波信号をインターフェイスするように構成された高周波インターフェイス回路３０３と、データプロセッサ１６７とを備えている。高周波インターフェイス回路は、トランシーバとしても知られている。又、アクセスノード（進化型ノードＢ）２は、高周波インターフェイス回路３０３からの信号を処理し、ワイヤレス通信リンクを経てＵＥ８へ情報を通信するのに適したＲＦ信号を発生するように高周波インターフェイス回路３０３を制御するよう構成されたデータプロセッサも備えている。アクセスノードは、更に、データプロセッサ３０５により使用されるデータ、パラメータ及びインストラクションを記憶するためのメモリ３０７も備えている。
【００３３】
図２及び３に各々示され上述されたＵＥ８及びアクセスノード２の両方は、以下に述べる本発明の実施形態に直接関与しない更に別の要素を含むことが明らかであろう。本発明の実施形態は、一例として、ＵＥ８からアクセスノード２へのアップリンク送信に対して単一キャリア−周波数分割多重アクセス（ＳＣ−ＦＤＭＡ）を使用するＬＴＥ（長期進化）システムに関して以下に説明する。
【００３４】
周波数スペクトルの一部分は、アクセスノード２へのアップリンク送信に対して予約され、そして周波数スペクトルの別の部分は、アクセスノード２からのダウンリンク送信に対して予約される。これらの部分は、各々、複数の周波数ブロック（キャリア）に分割される。ＵＥ８は、アップリンク送信に対して予約される部分を作り上げる複数のキャリアのうちの１つ以上において送信を行うことができ、そしてダウンリンク送信に対して予約される部分を作り上げる複数のキャリアのうちの１つ以上において送信を受け取ることができる。各キャリアは、そのグループ内の送信に対して無線リソースとして割り当てできる直交サブキャリアに分割される。無線リソース（１つ以上のキャリア内の直交サブキャリアのグループを定義するリソースブロック）は、ＵＥ８から送信されるべきデータが得られる場合にはＵＥ８からのアップリンク送信に割り当てられる。ＵＥ８は、アップリンク共有チャンネル（ＵＬ−ＳＣＨ）を経て送信されるべきＵＥ８のデータの量を指示するバッファ状態レポート（ＢＳＲ）をアクセスノード２へ送信する。ＵＥ８からのこれらＢＳＲ及びアクセスノード２によりサービスされる他の装置からのＢＳＲにおける指示に基づいて、アクセスノード２は、送信リソースをＵＥ８に割り当て、そして物理的ダウンリンク制御チャンネル（ＰＤＣＣＨ）を経てＵＥ８へアップリンク送信リソースグラントメッセージを信号する。
【００３５】
ＵＥ８に割り当てられるリソースは、アップリンク送信に対して予約された複数のキャリア内のリソースを含む。ＵＥ８のＭＡＣレイヤは、ＵＥ８に割り当てられる各キャリアに対してＭＡＣプロトコルデータ単位（ＰＤＵ）を発生し、このＰＤＵは、物理的レイヤにおける各トランスポートブロックを形成する。各ＭＡＣ  ＰＤＵは、各キャリア内でＵＥ８に割り当てられるリソースブロックの数に対応するサイズを有する。各ＭＡＣ  ＰＤＵは、ＭＡＣヘッダ４０２及びＭＡＣペイロード４０４を含み、このペイロードは、０、１、又はそれより多い制御エレメント（ＣＥ）、及び／又は０、１又はそれより多いＭＡＣサービスデータ単位（ＳＤＵ）を含む。ＭＡＣ  ＰＤＵの構造、及びそれがどのようにして物理的レイヤのトランスポートブロックになるかは、図４(Ａ)及び４(Ｂ)に示されている。図４(Ｂ)において、ＣＲＣは、巡回冗長チェックである。
【００３６】
各トランスポートブロックは、アクセスノード２からの各キャリアに対して受信されたタイミング情報に基づいて制御された時間にその各キャリアを経て送信される。全てのキャリアに対するタイミング情報が、アクセスノード２から、１つ以上のダウンリンクキャリアで送信される単一プロトコルデータ単位に含まれた単一ＭＡＣ制御エレメントにおいて受信される。５つのアップリンクキャリアの一例に対してタイミング進みコマンド（ＴＡＣ）を含むＭＡＣ制御エレメントの構造の一例が図５に示されている。これは、“０”にセットされた２予約ビットＲセットと、アップリンクキャリアに対する５つの６ビットタイミング進みコマンド（値）を定義する３０ビットとを含む４オクテットで構成される。６ビットタイミング進みコマンドが制御エレメントに含まれる順序は、所定のものであって、ＵＥ８及びアクセスノード２の両方に分かり、従って、制御エレメントは、どのタイミング進みコマンドがどのキャリアに対するものかの情報を含む必要がなく、ダウンリンクのオーバーヘッドが最小にされる。
【００３７】
図５に示すタイミング進みコマンド制御エレメントは、図４ＡにＵＥについて示されたものと同様にアクセスノード２のＭＡＣレイヤにおいてＭＡＣ制御データ単位（ＰＤＵ）のペイロードに合体される。又、ＭＡＣ  ＰＤＵのペイロードは、各論理的チャンネルからのデータを各々含む１つ以上の他の制御エレメント及び／又は１つ以上のＭＡＣサービスデータ単位も含む。ＭＡＣヘッダ４０２は、ペイロードに含まれる各ＣＥ及び／又はＳＤＵに対するサブヘッダを含む。各ＭＡＣサブヘッダは、論理的チャンネルＩＤ（ＬＣＩＤ）及び任意の長さ（Ｌ）フィールドより成る。ＬＣＩＤは、ＭＡＣペイロードの対応部分がＭＡＣ制御エレメントであるかどうか指示し、もしそうでなければ、関連ＳＤＵがどの論理的チャンネルに属するか指示する。Ｌフィールドは、関連ＭＡＣ  ＳＤＤのサイズを指示する。アップリンクキャリアの数は、ＵＥ８及びアクセスノード２の両方に分かり、それ故、ＵＥ８は、ＭＡＣサブヘッダにＬフィールドがなくても、タイミング進みコマンド制御エレメントの長さを決定できるので、ＬＴＥリリース８の３ＧＰＰ３６．３２１に規定された単一キャリアのタイミング進みコマンド制御エレメントに現在使用されているものと同じＬＣＩＤを、上述したマルチキャリアタイミング進みコマンド制御エレメントに使用することができる。そのＬＣＩＤは、ＵＥにより、Ｌフィールドが使用されないことを示すものとして認識される。
【００３８】
或いは又、１つの変形例によれば、タイミング進み制御エレメントは、新たなＬＣＩＤを有するＭＡＣサブヘッダ、及び制御エレメントの長さを示すＬフィールドと共に使用される。新たなＬＣＩＤは、ＵＥにより、Ｌフィールドが使用されることを示すものとして認識される。
【００３９】
ＭＡＣ  ＰＤＵは、ダウンリンクキャリアの１つを経てトランスポートブロックとしてアクセスノード２からＵＥ８へ送信される。
【００４０】
複数の全てのアップリンクキャリアに対するタイミング進みコマンドを単一のトランスポートブロックに含ませる１つの効果は、各ダウンリンクキャリアを１つのそして１つのみのアップリンクキャリアに関連付ける必要がなく、それ故、キャリアの非対称的集合がある状況（即ち、ダウンリンク送信及びアップリンク送信が異なる数のキャリアを使用して行われる状況）に使用されることである。
【００４１】
３ＧＰＰ  ＴＳ  ３６．２１３  Ｂ８．７．０（２００９−０５）に規定されたように、各６ビットタイミング進みコマンドは、各キャリアに対してＵＥが適用すべきタイミング調整量を制御するのに使用されるインデックス値ＴA（０、１、２、・・・６３）を指示する。より詳細には、ＴAは、新たなＮTA値、ＮTA,new、に対する現在ＴNA値、ＮTA,oldの調整を、ＴA＝０、１、２、・・・６３のインデックス値で示すものであり、ここで、ＮTA,new＝ＮTA,old＋（ＴA−３１）×１６である。ここで、正又は負の量によるＮTAの調整は、各々、所与の量だけアップリンク送信タイミングを進ませ又は遅らせることを指示する。３ＧＰＰ  ＴＳ  ３６．２１１  Ｖ８．７．０（２００９−０５）に規定されたように、ＮTAは、ＵＥ８におけるアップリンク及びダウンリンク無線フレーム間のタイミングオフセットを基本的な時間単位Ｔsで表したものである。
【００４２】
サブフレームｎで受信したタイミング進みコマンドに対して、それに対応するタイミング調整が、サブフレームｎ＋６の始めから適用されねばならない。サブフレームｎ及びサブフレームｎ＋１におけるＵＥのアップリンク送信がタイミング調整により重畳されたときには、ＵＥは、完全なサブフレームｎを送信し、そしてサブフレームｎ＋１の重畳部分を送信してはならない。
【００４３】
タイミング進みコマンドは、所定の最大期間中に有効であり、その期間の満了の前に、新たなタイミング進みコマンドに置き換える必要がある。ＵＥ８がいずれかのアップリンクキャリアで送信するために整列されたアップリンク時間にどれほど長くあると考えられるかを制御するために単一の時間整列タイマーが使用される。この時間整列タイマーは、上述したマルチキャリアタイミング進み制御エレメントのようなタイミング進み制御エレメントをＵＥが受信するたびにスタート又は再スタートされる。時間整列タイマーが動作している限り、ＵＥ８は、全てのアップリンクキャリアに対して整列されたアップリンク時間であると考えられる。時間整列タイマーが時間切れすると、ＵＥ８は、次のことを実行する。即ち、（ａ）全てのＨＡＲＱバッファをフラッシュする。（ｂ）物理的アップリンク制御チャンネルを解除するように無線リソースコントロール（ＲＲＣ）に通知する。（ｃ）ダウンリンクリソースの構成された指定又はアップリンクリソースのグラントをクリアする。
【００４４】
本発明の別の実施形態では、ＵＥ８は、個別の制御エレメントの各キャリアに対して、同じダウンリンクキャリアの同じトランスポートブロック又は異なるトランスポートブロックのいずれかでタイミング進みコマンドを受け取る。各タイミング進みコマンドの制御エレメントは、複数のアップリンクキャリアの１つのみに対してタイミング進みコマンドを含む。
【００４５】
又、上述したインデックス値ＴAと同様に、制御エレメントは、そのインデックス値ＴAがどのアップリンクキャリアに関連するかＵＥ８が識別できるようにする複数の所定値の１つも含む。複数の全てのアップリンクキャリアに対するタイミング進みコマンドを単一のダウンリンクキャリアに含ませるこの別の技術も、各ダウンリンクキャリアを１つのそして１つのみのアップリンクキャリアに関連させる必要がなく、それ故、キャリアの非対称的集合がある状況（即ち、ダウンリンク送信及びアップリンク送信が異なる数のキャリアを使用して行われる状況）に使用されるという効果を有する。
【００４６】
この別の技術にも単一の時間整列タイマーが使用される。ＵＥ８がアップリンクキャリアの各々に対してタイミング進みコマンドを受信する場合には、ＵＥ８は、いずれかのアップリンクキャリアに対してアクセスノード２からタイミング進みコマンドを受信したときに単一の時間整列タイマーを再スタートさせる。単一の時間整列タイマーが動作している間（即ち、時間切れでない間）、ＵＥ８は、いずれかのアップリンクキャリアにおいてアクセスノード２へ送信を行うための有効なタイミング情報を有することを考慮するように構成される。この技術が図７のフローチャートに示されている。全てのアップリンクキャリアに対して単一の整列タイマーを使用することは、異なる時間に時間切れする個別の時間整列タイマー（即ち、非同期なＴＡタイマー時間切れ）を取り扱う必要性からＭＡＣレイヤに生じる複雑さを回避するという効果を有する。
【００４７】
上述した実施形態では、キャリアサイズの一例が２０ＭＨｚであり、そしてアップリンクキャリアの数の一例が５である。上述した動作は、種々のエンティティにおけるデータ処理を必要とする。データ処理は、１つ以上のデータプロセッサによって行われる。同様に、前記実施形態で述べた種々のエンティティは、単一又は複数のデータ処理エンティティ及び／又はデータプロセッサ内で具現化される。これら実施形態を具現化するために、適当に適応させたコンピュータプログラムコード製品が、コンピュータにロードされたときに使用される。動作を与えるためのプログラムコード製品は、キャリアディスク、カード又はテープのようなキャリア媒体に記憶されて、それらにより与えられる。データネットワークを経てプログラムコード製品をダウンロードすることができる。サーバー内の適当なソフトウェアで具現化がなされる。
【００４８】
例えば、本発明の実施形態は、チップセットとして具現化され、換言すれば、互いに通信する一連の集積回路として具現化される。チップセットは、コードを実行するように構成されたマイクロプロセッサ、特定用途向け集積回路（ＡＳＩＣ）、又は上述した動作を遂行するためのプログラム可能なデジタル信号プロセッサを含む。
【００４９】
本発明の実施形態は、集積回路モジュールのような種々のコンポーネントで具現化される。集積回路の設計は、大体、高度に自動化されたプロセスである。論理レベル設計を、半導体基板上に形成されてエッチングされる準備のできた半導体回路設計へと変換するために、複雑で且つパワフルなソフトウェアツールを利用することができる。
【００５０】
カリフォルニア州マウンテンビューのＳｙｎｏｐｓｙｓ社及びカリフォルニア州サンノセのＣａｄｅｎｃｅ  Ｄｅｓｉｇｎ社により提供されるもののようなプログラムは、充分に確立された設計ルール及び予め記憶された設計モジュールのライブラリを使用して半導体チップ上に自動的に導体を引き回しそしてコンポーネントを配置する。半導体回路の設計が完了すると、それにより得られる標準電子フォーマットでの設計（例えば、Ｏｐｕｓ、ＧＤＳＩＩ、等）が、製造のために半導体製造施設又は“ｆａｂ”へ伝送される。
【００５１】
明確に上述した変更に加えて、当業者であれば、本発明の範囲内で、上述した実施形態の種々の他の変更がなされ得ることが明らかであろう。
【符号の説明】
【００５２】
１：キーパッド
２：第１アクセスノード
４：第２アクセスノード
５：ディスプレイ
６：第３アクセスノード
７：無線部
８：ユーザ装置
９：回路板
１０１：第１カバレージエリア
１０３：第２カバレージエリア
１０５：第３カバレージエリア
３０１：高周波アンテナ
３０３：高周波インターフェイス回路
３０６：データプロセッサ
３０７：メモリ
【図１】
0005530526.tif 000002
【図２】
0005530526.tif 000003
【図３】
0005530526.tif 000004
【図４Ａ】
0005530526.tif 000005
【図４Ｂ】
0005530526.tif 000006
【図５】
0005530526.tif 000007
【図６】
0005530526.tif 000008